(57)【要約】【課題】部品点数及び加工工数及び組み立て工数を削減することが可能なカメラの絞り装置を提供する。【解決手段】回転板８０５に、絞り地板と回転板８０５との相対的回転範囲を規制するための突部１００を一体形成した。【選択図】　　　図４
2004094087.tif 000002
【特許請求の範囲】
【請求項１】
レンズ鏡筒の駆動と連動して回転する回転板と絞り地板との相対的回転位置により絞り開放径を決定するカメラの絞り装置において、
前記絞り地板と前記回転板の少なくとも一方に、前記絞り地板と前記回転板との相対的回転範囲を規制するための突部を一体形成したことを特徴とするカメラの絞り装置。
【請求項２】
前記突部の前記絞り地板と前記回転板との相対的回転範囲を規制するために接する面を、前記回転板の回転面に対して略直角に設定したことを特徴とする請求項１記載のカメラの絞り装置。
【請求項３】
前記突部の前記絞り地板と前記回転板との相対的回転範囲を規制するために接する面以外の１つの面を、前記回転板の回転面に対して３０°〜６０°の範囲で傾斜するように設定したことを特徴とする請求項１記載のカメラの絞り装置。
【発明の詳細な説明】
【０００１】
【発明の属する技術分野】
本発明は、カメラに組み込まれて光量調整を行うための絞り装置に関する。
【０００２】
【従来の技術】
従来のカメラの絞り装置は、図８に示すように、絞り地板８０１、回転板８０５、絞り羽根８０４及びビス８１８を主要構成部品として構成され、絞り地板８０１と回転板８０５との間に絞り羽根８０４が開閉可能に挟持されている。回転板８０５は、複数個のバイオネット爪８０２のスラスト嵌合面８１０と絞り羽根８０４の走行スペースを確保する部分である複数個の半球状の突起８０３との間に、回転自在に嵌合され、且つバイオネット爪８０２の頭部８０２ａのラジアル嵌合面８１０と回転板８０５のラジアル嵌合面８１１とが嵌合して、絞り地板８０１と回転板８０５とが相対的に回転可能となっている。
【０００３】
この絞り地板８０１と回転板８０５との相対的回転運動は、回転板８０５に設けた連動ピン穴８０６に図示しないレンズの鏡筒に設けた連動ピンが嵌合し、前記レンズのピント合せ、またはズーミング操作に従い動作する鏡筒と、前記連動ピンを介して回転板８０５が、光軸８０７に対して定められた図９に示す回転角θ１の範囲で連動回転することにより、絞り羽根８０４が協働して、その開口径が変化（開閉）するようになっている。
【０００４】
図９に示すように、前記回転角θ１の両側に作動限界位置を有する回転作動角度θ２が設けられており、この回転作動角度θ２の範囲内において絞り地板８０１と回転板８０５とが相対的に回転作動できるようになっている。
【０００５】
また、図９に示すように、回転板８０５の外周縁部には、逃げ角度θ３に対応する部位に亘って切欠部８１２が設けられている。
【０００６】
このような従来構成のカメラの絞り装置において、絞り地板８０１と回転板８０５とを組み立てる場合には、バイオネット爪８０２の頭部８０２ａと図９における回転板８０５の切欠部８１２とを整合させた状態にして、絞り地板８０１と回転板８０５とを重ね合わせる。
【０００７】
図９における回転板８０５の逃げ角度θ３に相当する位置は、回転板８０５の外周縁部を切り欠くことにより（切欠部８１２を設けることにより）、その外径を小さくしているため、絞り地板８０１と回転板８０５とを互いに重ね合わせる際に、バイオネット爪８０２の頭部８０２ａが回転板８０５に引っかかることはない。
【０００８】
絞り地板８０１と回転板８０５とを、上述したように重ね合わせた後、回転板８０５を図８の時計回り方向に回転させて、バイオネット爪８０２のラジアル嵌合面８１１と回転板８０５のラジアル嵌合面８０８とを嵌合させ、その後、バイオネット爪８０２よりも内周側に位置して回転板８０５にビス８１３を取り付ける。回転板８０５のラジアル嵌合面８０８は、切欠部８１２より外周側に位置し、このラジアル嵌合面８０８の一端側（切欠部８１２より離間する側）は、ストッパー面８０９となっている。
【０００９】
ビス８１３の頭部８１３ａは、回転板８０５の上面より適宜寸法だけ突出した状態にあり、このビス８１３の頭部８１３ａの側面がバイオネット爪８０２の頭部８０２ａの側面に当接することにより、回転板８０５の図８における反時計回り方向への回転限界位置が規制される。従って、回転板８０５が図８の反時計回り方向へ回転してバイオネット爪８０２の頭部８０２ａが回転板８０５の切欠部８１２と整合して、抜け外れてしまうということはない。即ち、ビス８１３の頭部８１３ａの側面が、回転板８０５の組み込み後における反時計回り方向への回転時に、バイオネット爪８０２の頭部８０２ａが回転板８０５の切欠部８１２と整合して抜け外れるのを防止するためのストッパーとなっている。
【００１０】
また、回転板８０５の図８における時計回り方向への回転限界位置は、バイオネット爪８０２の頭部８０２ａの側面が回転板８０５の外周縁部に切欠部８１２より反時計回り方向に所定角度偏位させて設けたストッパー面８０９に当接することにより規制される。
【００１１】
即ち、絞り地板８０１と回転板８０５との相対的な回転作動角度θ２（相対的回転範囲）は、回転板８０５の外周縁部に設けたストッパー面８０９とビス８１３の配置箇所によって定まる。
【００１２】
【発明が解決しようとする課題】
しかし、上述した従来のカメラの絞り装置においては、絞り地板８０１と回転板８０５との相対的回転範囲の規制をビス８０３により行う構成である。
【００１３】
従って、その分だけ部品点数が多くなると共に、ビス８１３を螺合するためのビス穴を回転板８０５に加工したり、そのビス穴にビス８１３を螺合する必要があるため、加工工数及び組み立て工数が多くなり、コストがアップするという問題点があった。
【００１４】
本発明は、上述した従来技術の有する問題点を解消するためになされたもので、その目的は、部品点数及び加工工数及び組み立て工数を削減することが可能なカメラの絞り装置を提供することである。
【００１５】
【課題を解決するための手段】
上記目的を達成するため、本発明のカメラの絞り装置は、レンズ鏡筒の駆動と連動して回転する回転板と絞り地板との相対的回転位置により絞り開放径を決めることができるカメラの絞り装置において、前記絞り地板と前記回転板の少なくとも一方に、前記絞り地板と前記回転板との相対的回転範囲を規制するための突部を一体形成したことを特徴とする。
【００１６】
【発明の実施の形態】
以下、本発明の各実施の形態を図１乃至図７に基づき説明する。
【００１７】
（第一実施の形態）
まず、本発明の第一実施の形態を図１乃至図６に基づき説明する。
【００１８】
図１は、本発明の第一実施の形態に係るカメラの絞り装置の構成を示す分解斜視図、図２は、同装置の構成を示す組み立て状態の斜視図、図３は、同装置におけるバイオネット爪の構成を示す拡大斜視図、図４は、同装置における回転板の一部拡大斜視図、図５は、同装置の構成を示す組み立て状態の一部拡大平面図である。
【００１９】
尚、図１乃至図５において、上述した従来例の図８及び図９と同一部分には、同一符号を付してある。
【００２０】
本実施の形態に係る絞り装置の特徴は、従来設けていたビス８１３を削除し、回転板８０５の所定箇所に、絞り地板８０１と回転板８０５との相対的回転範囲を規制するための突部１００を一体形成したことである。
【００２１】
即ち、突部１００は、図４に示すように、回転板８０５の切欠部８１２の一端側（ストッパー面８０９側）コーナー部上面に設けられている。この突部１００は、その上面（絞り地板と回転板との相対的回転範囲を規制するために接する面以外の面）が対角線１００ａを介して２つの傾斜面１００ｂ，１００ｃとなっており、また、ストッパー面８０９側の一端面（絞り地板と回転板との相対的回転範囲を規制するために接する面）１００ｄが回転板８０５の回転面に対して略直角となっている。
【００２２】
そして、ストッパー面８０９側の一端面１００ｄに、バイオネット爪８０２の頭部８０２ａの側面が当接することにより、絞り地板８０１と回転板８０５との相対的回転範囲が規制されるようになっている。
【００２３】
また、突部１００の上面の傾斜面１００ｂ，１００ｃの傾斜角度は、組み込み時においてバイオネット爪８０２の頭部８０２ａが突部１００の上面を乗り越えるのに必要な回転力が極力小さくて済むように、回転板８０５の回転面に対して３０°〜６０°の範囲に設定されている。
【００２４】
本実施の形態に係る絞り装置は、図１に示すように、絞り地板８０１、回転板８０５及び絞り羽根８０４を主要構成部品として構成されている。絞り地板８０１と回転板８０５との間には、絞り羽根８０４が開閉可能に挟持されている。回転板８０５は、複数のバイオネット爪８０２のスラスト嵌合面８１０（図３参照）と絞り羽根８０４の走行スペースを確保するために絞り地板８０１に設けた小さな半球状の突起８０３との間に回転可能に嵌合し、且つバイオネット爪８０２のラジアル嵌合面８１１（図３参照）と回転板８０５のラジアル嵌合面８０８とが嵌合して、絞り地板８０１と回転板８０５とが相対的に回転可能となっている。
【００２５】
絞り地板８０１と回転板８０５との相対的回転運動は、回転板８０５に設けた連動ピン穴８０６に図示しないレンズの鏡筒に設けた連動ピンが嵌合し、前記レンズのピント合せ、またはズーミング操作に従い動作する鏡筒と、前記連動ピンを介して回転板８０５が、光軸８０７に対して定められた図５に示す回転角θ１の範囲で連動回転することにより、絞り羽根８０４が協働して、その開口径が変化（開閉動作）するようになっている。
【００２６】
また、図５に示すように、前記回転角θ１の両側に作動限界位置を有する回転作動角度θ２が設けられており、この回転作動角度θ２の範囲内において絞り地板８０１と回転板８０５とが相対的に回転作動できるようになっている。
【００２７】
このような構成の本実施の形態に係るカメラの絞り装置において、絞り地板８０１と回転板８０５とを組み立てる場合には、バイオネット爪８０２の頭部８０２ａと図５における回転板８０５の切欠部８１２とを整合させた状態にして、絞り地板８０１と回転板８０５とを重ね合わせる。
【００２８】
図５における回転板８０５の逃げ角度θ３に相当する位置は、回転板８０５の外周縁部を切り欠くことにより（切欠部８１２を設けることにより）、その外径を小さくしているため、絞り地板８０１と回転板８０５とを互いに重ね合わせる際に、バイオネット爪８０２の頭部８０２ａが回転板８０５に引っかかることはない。
【００２９】
絞り地板８０１と回転板８０５とを、上述したように重ね合わせた後、回転板８０５を図８の時計回り方向に回転させて、バイオネット爪８０２の頭部８０２ａを、突部１００の上面を強制的に乗り越えさせ、バイオネット爪８０２のラジアル嵌合面８１１と回転板８０５のラジアル嵌合面８０８とを嵌合させる。
【００３０】
尚、バイオネット爪８０２のスラスト嵌合面８１０が突部１００の上面の一方の傾斜面１００ｂに食い付き、この状態で回転板８０５を時計回り方向に回転させることで、バイオネット爪８０２の頭部８０２ａ側が外径側に強制的に撓ませられる。この時、バイオネット爪８０２の撓み角度を小さくするため、突部１００の上面に他方の傾斜面１００ｃを設けたものである。この時、突部１００の一端面１００ｄと反対側の辺１００ｅの位置は、回転板８０５の厚みより薄く設定するか、または同じに設定する。
【００３１】
このようにして絞り地板８０１と回転板８０５とを組み込んだ後の状態においては、回転作動角度θ２内における回転板８０５の一方向への回動限界位置は、バイオネット爪８０２の直線状部８０２ｂの一側面が、回転板８０５の外周縁部に設けたストッパー面８０９に当接することにより規制される。また、回転作動角度θ２内における回転板８０５の他方向への回動限界位置は、バイオネット爪８０２の頭部８０２ａの他側面が突部１００の一端面１００ｄに当接することにより規制される。
【００３２】
ところで、レンズのズーミング・ピント合わせに伴う鏡筒の作動により、該鏡筒が絞り装置に近づくことになり、従って、この鏡筒の作動範囲を長くするには、絞り装置全体を薄くする必要がある。
【００３３】
しかし、上述した従来の絞り装置においては、絞り地板８０１と回転板８０５の相対的回転範囲を規制するためだけに設けられているビス８１８の頭部８０２ａが、切欠部８１２（或いはバイオネット爪８０２）よりも内周側に位置して回転板８０５の上面から突出しているために、レンズを配置する上でビス８１３がレンズと干渉し、絞り装置の薄型化を図る上で障害となっていた。
【００３４】
これに対して本実施の形態に係る絞り装置においては、従来設けていたビスを排除し、しかも突部１００を切欠部８１２より外周側に位置して設けたので、レンズを配置する上で突部１００がレンズと干渉することは無く、絞り装置の薄型化を図る上で有効である。
【００３５】
（第二実施の形態）
次に、本発明の第二実施の形態を図６に基づき説明する。
【００３６】
上述した第一実施の形態においては、突部１００を回転板８０５の上面、即ち、厚さ方向に形成したが、本実施の形態は、突部を回転板の外周面、即ち、外径方向に形成したものである。
【００３７】
図６は、本実施の形態に係る絞り装置における回転板の一部拡大斜視図であり、同図において、上述した第一実施の形態の図４と同一部分には同一符号が付してある。
【００３８】
図６において６００は突部であり、絞り地板８０１と回転板８０５との相対的回転範囲を規制するものである。この突部６００は、回転板８０５の回転板８０５のラジアル嵌合面８０８のストッパー面８０９と反対側の端部に一体形成されている。突部６００は、その一端面（絞り地板と回転板との相対的回転範囲を規制するために接する面）６００ａがラジアル嵌合面８０８に対して略直角に設定され、正面（絞り地板と回転板との相対的回転範囲を規制するために接する面以外の面）はラジアル嵌合面８０８に対して３０〜６０の範囲で傾斜する２つの傾斜面６００ｂ，６００ｃとなっている。
【００３９】
そして、絞り地板８０１と回転板８０５との組み立て時において、バイオネット爪８０２のラジアル嵌合面８１１が一方の傾斜面６００ａに食い付き、この状態で回転板８０５を時計回り方向に回転させることで、バイオネット爪８０２の頭部８０２ａ側が外径側に強制的に撓ませられる。この時、バイオネット爪８０２の撓み角度を小さくするため他方の傾斜面６００ｂを設けたものである。この時、突部６００の一端面６００ａと反対側の辺６００ｄの位置は、回転板８０５のラジアル嵌合面８０８より径を小さく設定するか、または同じに設定する。
【００４０】
また、絞り地板８０１と回転板８０５とを組み立てた後の状態においては、バイオネット爪８０２の直線状部８０２ｂの他側面が突部６００の一端面６００ａに当接することにより、絞り地板８０１と回転板８０５との相対的回転範囲が規制されるものである。
【００４１】
（第三実施の形態）
次に、本発明の第三実施の形態を図７に基づき説明する。
【００４２】
図７は、本実施の形態に係るカメラの絞り装置における回転板の一部拡大斜視図であり、同図において、上述した第二実施の形態の図５と同一部分には同一符号が付してある。
【００４３】
本実施の形態において、上述した第二実施の形態と異なる点は、回転板８０５に形成していた切欠部８０１を省略し、且つ頭部の無い直線状部のみのバイオネット爪７００を採用したことである。
【００４４】
このように切欠部８０１を省略したことにより、その加工が不要となって加工工数を削減でき、しかも、頭部の無いバイオネット爪７００を採用したことにより、バイオネット爪７００の形状が単に直線状部のみで良く、その加工が容易であるというメリットがある。
【００４５】
（その他の実施の形態）
上述した各実施の形態においては、突部を回転板８０５側に設けた場合について説明したが、本発明はこれに限られるものではなく、絞り地板８０１側に突部を設けても良い。
【００４６】
また、突部の形状についても、上述した各実施の形態において図示したものに限られるものではなく、本発明の目的を達成できるものであれば、如何なる形状でも良いことは言うまでもない。
【００４７】
【発明の効果】
以上のように、本発明によれば、従来のビスを削除したので、部品点数及び加工工数及び組み立て工数を削減することができる。
【図面の簡単な説明】
【図１】本発明の第一実施の形態に係る絞り装置の構成を示す分解斜視図である
【図２】本発明の第一実施の形態に係る絞り装置の構成を示す組み立て状態の斜視図である。
【図３】本発明の第一実施の形態に係る絞り装置におけるバイオネット爪の構成を示す斜視図である。
【図４】本発明の第一実施の形態に係る絞り装置における回転板の一部拡大斜視図である。
【図５】本発明の第一実施の形態に係る絞り装置の一部拡大平面図である。
【図６】本発明の第二実施の形態に係る絞り装置における回転板の一部拡大斜視図である。
【図７】本発明の第二実施の形態に係る絞り装置の一部拡大斜視図である。
【図８】従来の絞り装置の構成を示す組み立て状態の斜視図である。
【図９】従来の絞り装置の一部拡大平面図である。
【符号の説明】
１００　　　突部
１００ａ　　対角線
１００ｂ　　傾斜面（絞り地板と回転板との相対回転範囲を規制するために接する面以外の面）
１００ｃ　　傾斜面（絞り地板と回転板との相対回転範囲を規制するために接する面以外の面）
１００ｄ　　一端面（絞り地板と回転板との相対回転範囲を規制するために接する面）
１００ｅ　　突部の辺
６００　　　突部
６００ａ　　一端面（絞り地板と回転板との相対回転範囲を規制するために接する面）
６００ｂ　　傾斜面（絞り地板と回転板との相対回転範囲を規制するために接する面以外の面）
６００ｃ　　傾斜面（絞り地板と回転板との相対回転範囲を規制するために接する面以外の面）
６００ｄ　　突部の辺
８０１　　　絞り地板
８０２　　　バイオネット爪
８０２ａ　　バイオネット爪の頭部
８０２ｂ　　バイオネット爪の直線状部
８０３　　　絞り羽根走行スペースを確保する突起
８０４　　　絞り羽根
８０５　　　回転板
８０６　　　連動ピン穴
８０７　　　光軸
８０８　　　回転板のラジアル嵌合面
８０９　　　回転板のストッパー面
８１０　　　バイオネット爪のスラスト嵌合面
８１１　　　バイオネット爪のラジアル嵌合面
８１２　　　回転板の切欠部
【図１】
2004094087.tif 000003
【図２】
2004094087.tif 000004
【図３】
2004094087.tif 000005
【図４】
2004094087.tif 000006
【図５】
2004094087.tif 000007
【図６】
2004094087.tif 000008
【図７】
2004094087.tif 000009
【図８】
2004094087.tif 000010
【図９】
2004094087.tif 000011